(57)【要約】    【課題】  電気泳動装置の画質を向上させること。    【解決手段】  電気泳動装置の駆動方法において、画像書き換え期間は、リセット期間と、当該リセット期間の後に設けられる画像信号導入期間とを含む。リセット期間は、中間階調よりも高輝度の第１の階調に相当する電圧を共通電極と前記画素電極との間に与え、当該電圧によって電気泳動粒子を移動させる第１リセット期間（ｒ１）と、中間階調よりも低輝度の第２の階調と第１の階調との間に含まれる第３の階調に相当する電圧を共通電極と画素電極との間に与え、当該電圧によって電気泳動粒子を移動させる第２リセット期間（ｒ２）と、を含む。【選択図】    図４
2006189466.tif 000002
【特許請求の範囲】
【請求項１】
電気泳動粒子を含有する分散系を共通電極と画素電極との間に介在させてなる電気泳動素子と、前記共通電極と前記画素電極との間に電圧を印加して前記電気泳動素子を駆動する駆動手段と、前記駆動手段を制御する制御手段と、を備える電気泳動装置の駆動方法であって、
画像書き換えを行うために、前記制御手段により前記駆動手段を制御して前記共通電極と前記画素電極に電圧を与える画像書き換え期間は、リセット期間と、当該リセット期間の後に設けられる画像信号導入期間とを含み、
前記リセット期間は、
中間階調よりも高輝度の第１の階調に相当する電圧を前記共通電極と前記画素電極との間に与え、当該電圧によって前記電気泳動粒子を移動させる第１リセット期間と、
中間階調よりも低輝度の第２の階調と前記第１の階調との間に含まれる第３の階調に相当する電圧を前記共通電極と前記画素電極との間に与え、当該電圧によって前記電気泳動粒子を移動させる第２リセット期間と、
を含むことを特徴とする、電気泳動装置の駆動方法。
【請求項２】
前記第１リセット期間は、最高輝度に相当する電圧を前記第１の階調に相当する電圧として印加し、
前記第２リセット期間は、中間階調よりも低く前記第２の階調よりも高い輝度に相当する電圧を前記第３の階調に相当する電圧として印加する、請求項１に記載の電気泳動装置の駆動方法。
【請求項３】
前記第１リセット期間における前記第１の階調に相当する電圧は、前記共通電極に高電源電位Ｖｄｄを与えるとともに前記画素電極に前記高電源電位Ｖｄｄよりも低い共通電位Ｖｃを与えることにより実現され、
前記第２リセット期間における前記第３の階調に相当する電圧は、前記共通電極に前記共通電位Ｖｃを与えるとともに前記画素電極に前記共通電位Ｖｃより高く、且つ前記高電源電位Ｖｄｄよりも低いリセット電位ＶRHを与えることにより実現される、請求項２に記載の電気泳動装置の駆動方法。
【請求項４】
前記画像信号導入期間は、前記共通電極に所定の共通電位Ｖｃを与えるとともに、当該共通電位Ｖｃを基準として相対的に正の電位又は負の電位を前記画素電極に与えることによって画像書き込みを行う、請求項１に記載の電気泳動装置の駆動方法。
【請求項５】
前記共通電位Ｖｃを高電源電位Ｖｄｄよりも低く低電源電位Ｖｓｓよりも高い電位とし、前記画素電極に与える電位をＶDH（ＶDH＞Ｖｃ）又はＶDL（ＶDL＜Ｖｃ）とする、請求項４に記載の電気泳動装置の駆動方法。
【請求項６】
前記共通電位Ｖｃを高電源電位Ｖｄｄと低電源電位Ｖｓｓとの中間電位（Ｖｄｄ＋Ｖｓｓ）／２とする、請求項４に記載の電気泳動装置の駆動方法。
【請求項７】
前記電気泳動装置は、一方の電極が前記共通電極と接続され、他方の電極が前記画素電極と接続されてなる保持容量を更に備える、請求項１に記載の電気泳動装置の駆動方法。
【請求項８】
電気泳動粒子を含有する分散系を共通電極と画素電極との間に介在させてなる電気泳動素子と、前記共通電極と前記画素電極との間に電圧を印加して前記電気泳動素子を駆動する駆動手段と、前記駆動手段を制御する制御手段と、を備える電気泳動装置の駆動方法であって、
画像書き換えを行うために、前記制御手段により前記駆動手段を制御して前記共通電極と前記画素電極に電圧を与える画像書き換え期間は、リセット期間と、当該リセット期間の後に設けられる画像信号導入期間とを含み、
前記リセット期間は、
中間階調よりも低輝度の第１の階調に相当する電圧を前記共通電極と前記画素電極との間に与え、当該電圧によって前記電気泳動粒子を移動させる第１リセット期間と、
中間階調よりも高輝度の第２の階調と前記第１の階調との間に含まれる第３の階調に相当する電圧を前記共通電極と前記画素電極との間に与え、当該電圧によって前記電気泳動粒子を移動させる第２リセット期間と、
を含むことを特徴とする、電気泳動装置の駆動方法。
【請求項９】
電気泳動粒子を含有する分散系を共通電極と画素電極との間に介在させてなる電気泳動素子と、
前記共通電極と前記画素電極との間に電圧を印加して前記電気泳動素子を駆動する駆動手段と、
前記駆動手段を制御する制御手段と、
を備え、
画像書き換えを行うために前記駆動手段が前記共通電極と前記画素電極に電圧を与える画像書き換え期間には、リセット期間と、当該リセット期間の後に設けられる画像信号導入期間とが含まれ、
前記リセット期間は、
中間階調よりも高輝度の第１の階調に相当する電圧を前記共通電極と前記画素電極との間に与え、当該電圧によって前記電気泳動粒子を移動させる第１リセット期間と、
中間階調よりも低輝度の第２の階調と、前記第１の階調との間に含まれる第３の階調に相当する電圧を前記共通電極と前記画素電極との間に与え、当該電圧によって前記電気泳動粒子を移動させる第２リセット期間と、
を含むことを特徴とする、電気泳動装置。
【請求項１０】
前記制御手段は、
前記第１リセット期間において、最高輝度に相当する電圧を前記第１の階調に相当する電圧として印加し、
前記第２リセット期間において、中間階調よりも低く前記第２の階調よりも高い輝度に相当する電圧を前記第３の階調に相当する電圧として印加する、請求項９に記載の電気泳動装置。
【請求項１１】
前記制御手段は、
前記第１リセット期間における前記第１の階調に相当する電圧を、前記共通電極に高電源電位Ｖｄｄを与えるとともに前記画素電極に前記高電源電位Ｖｄｄよりも低い共通電位Ｖｃを与えることにより実現し、
前記第２リセット期間における前記第３の階調に相当する電圧を、前記共通電極に前記共通電位Ｖｃを与えるとともに前記画素電極に前記共通電位Ｖｃより高く、且つ前記高電源電位Ｖｄｄよりも低いリセット電位ＶRHを与えることにより実現する、請求項１０に記載の電気泳動装置。
【請求項１２】
前記制御手段は、
前記画像信号導入期間において、前記共通電極に所定の共通電位Ｖｃを与えるとともに、当該共通電位Ｖｃを基準として相対的に正の電位又は負の電位を前記画素電極に与えることによって画像書き込みを行う、請求項９に記載の電気泳動装置。
【請求項１３】
前記制御手段は、
前記共通電位Ｖｃを高電源電位Ｖｄｄよりも低く低電源電位Ｖｓｓよりも高い電位とし、前記画素電極に与える電位をＶDH（ＶDH＞Ｖｃ）又はＶDL（ＶDL＜Ｖｃ）とする、請求項１２に記載の電気泳動装置。
【請求項１４】
前記共通電位Ｖｃを高電源電位Ｖｄｄと低電源電位Ｖｓｓとの中間電位（Ｖｄｄ＋Ｖｓｓ）／２とする、請求項１２に記載の電気泳動装置。
【請求項１５】
一方の電極が前記共通電極と接続され、他方の電極が前記画素電極と接続されてなる保持容量を更に備える、請求項９に記載の電気泳動装置。
【請求項１６】
電気泳動粒子を含有する分散系を共通電極と画素電極との間に介在させてなる電気泳動素子と、
前記共通電極と前記画素電極との間に電圧を印加して前記電気泳動素子を駆動する駆動手段と、
前記駆動手段を制御する制御手段と、
を備え、
画像書き換えを行うために前記駆動手段が前記共通電極と前記画素電極に電圧を与える画像書き換え期間には、リセット期間と、当該リセット期間の後に設けられる画像信号導入期間とが含まれ、
前記リセット期間は、
中間階調よりも低輝度の第１の階調に相当する電圧を前記共通電極と前記画素電極との間に与え、当該電圧によって前記電気泳動素子を移動させる第１リセット期間と、
中間階調よりも高輝度の第２の階調と、前記第１の階調との間に含まれる第３の階調に相当する電圧を前記共通電極と前記画素電極との間に与え、当該電圧によって前記電気泳動素子を移動させる第２リセット期間と、
を含むことを特徴とする、電気泳動装置。
【請求項１７】
請求項８乃至１６のいずれかに記載の電気泳動装置を備える電子機器。
【発明の詳細な説明】
【技術分野】
【０００１】
本発明は、電気泳動粒子を含んでなる分散系を備える電気泳動装置とその駆動方法、及びこれを用いた電子機器に関する。
【背景技術】
【０００２】
溶液中に電気泳動粒子を分散させてなる分散系に電界を印加した際に、クーロン力によって電気泳動粒子が泳動する現象（電気泳動現象）が知られており、当該現象を利用した電気泳動装置が開発されている。このような電気泳動装置は、例えば、特開２００２−１１６７３３号公報（特許文献１）、特開２００３−１４０１９９号公報（特許文献２）、特開２００４−００４７１４号公報（特許文献３）、特開２００４−１０１７４６号公報（特許文献４）などの文献に開示されている。しかし、従来の電気泳動装置は画質について未だ改良の余地が多かった。以下、これについて具体的に説明する。
【０００３】
図１２は、アクティブマトリクス型の電気泳動装置の回路構成例を説明する図である。図示の電気泳動装置は、複数の走査線と、複数のデータ線が直交して配置され、これらの各交点に電気泳動素子を配置して構成されている。各電気泳動素子は、対向配置される共通電極と画素電極の間に分散系を介在させて構成されている。各電気泳動素子に対する電流供給は走査線及びデータ線に接続されたトランジスタによってなされる。
【０００４】
図１３は、図１２に示すような構成の電気泳動装置の駆動方法についての従来例を説明する波形図である。図１３に示す駆動方法では、画像信号導入期間に先立って、全画素を白表示にリセットするリセット期間が設けられている。このリセット期間においては、全画素の画素電極にはデータ線を介して低電源電位Ｖｓｓ（例えば０Ｖ）、共通電極の電位（共通電位）Ｖｃｏｍとしては高電源電位Ｖｄｄ（例えば＋１０Ｖ）が与えられる。また、その後の画像信号導入期間においては、共通電位Ｖｃｏｍとして低電源電位Ｖｓｓ、各画素電極には各データ線を介して、表示画像の内容に応じた電位が各画素ごとに与えられる。
【０００５】
図１４〜図１７は、図１３に示す従来例の駆動方法によって駆動された場合における電気泳動粒子の挙動（空間分布）を模式的に説明する図である。図１４〜図１７では、二粒子系の電気泳動装置であって、白丸で示した粒子（白粒子）がマイナスに帯電し、黒丸で示した粒子（黒粒子）がプラスに帯電している場合における各粒子の挙動が模式的に示されている。
【０００６】
例えば、データ線信号Ｘ１、走査線信号Ｙ１のそれぞれが供給される画素（１，１）の前画面が白表示、次画面が黒表示、であるとし、その場合の電気泳動粒子の挙動を図１４に示す。前画面においては、図１４（Ａ）に示すように、共通電位ＶｃｏｍとしてはＶｓｓ、画素電極にはＶL（ほぼ０Ｖ）の各電位が与えられ、白表示（より正確には、灰色ぎみの白）がなされる。リセット期間においては、図１４（Ｂ）に示すように、共通電位ＶｃｏｍとしてはＶｄｄ、画素電極にはＶｓｓの各電位が与えられ、リセット動作としての白表示（より正確には、より強い白）がなされる。次画面においては、図１４（Ｃ）に示すように、共通電位ＶｃｏｍとしてＶｓｓ、画素電極にはＶｄｄの各電位が与えられ、黒表示（正確には灰色ぎみの黒）がなされる。このとき、画素（１，１）においては直前のリセット期間において強い白表示がなされているため、その後に黒表示としても各電気泳動粒子が十分に移動することができず、黒レベルが黒くならないという不都合が生じる。
【０００７】
データ線信号Ｘ１、走査線信号Ｙ２のそれぞれが供給される画素（１，２）の前画面が白表示、次画面も白表示、であるとし、その場合の電気泳動粒子の挙動を図１５に示す。前画面においては、図１５（Ａ）に示すように、共通電位ＶｃｏｍとしてＶｓｓ、画素電極にはＶL（ほぼ０Ｖ）の各電位が与えられ、白表示（より正確には、灰色ぎみの白表示）がなされる。リセット期間においては、図１５（Ｂ）に示すように、共通電位ＶｃｏｍとしてはＶｄｄ、画素電極にはＶｓｓの各電位が与えられ、リセット動作としての白表示（より正確には、より強い白表示）がなされる。次画面においては、図１５（Ｃ）に示すように、共通電位ＶｃｏｍとしてはＶｓｓ、画素電極にはＶｄｄの各電位が与えられ、白表示がなされる。このとき、各電気泳動粒子が必要以上に移動することから白表示がより強い白となってしまい、他の画素との間で相対的に輝度差を生じ、視覚的に残像を生じさせてしまうという不都合が生じる。また、白表示が更に連続した場合には、白粒子が共通電極側、黒粒子が画素電極側にそれぞれ固定されてしまい、次に黒表示となった際に各粒子が移動しにくくなり、良好な黒表示が行えなくなる。また、白表示の際には各電極間に電位差がないので、各粒子が次第に拡散してしまい、白表示が徐々に灰色表示となってしまう。
【０００８】
データ線信号Ｘ２、走査線信号Ｙ１のそれぞれが供給される画素（２，１）の前画面が黒表示、次画面は白表示、であるとし、その場合の電気泳動粒子の挙動を図１６に示す。前画面においては、図１６（Ａ）に示すように、共通電位ＶｃｏｍとしてはＶｓｓ、画素電極にはＶH（８Ｖ程度）の各電位が与えられ、黒表示（より正確には、白色ぎみの黒表示）がなされる。リセット期間においては、図１６（Ｂ）に示すように、共通電位ＶｃｏｍとしてはＶｄｄ、画素電極にはＶｓｓの各電位が与えられ、リセット動作としての白表示（より正確には、灰色ぎみの白表示）がなされる。次画面においては、図１６（Ｃ）に示すように、共通電位ＶｃｏｍとしてはＶｓｓ、画素電極にもＶｓｓの各電位が与えられ、白表示がなされる。このとき、各電気泳動粒子が必要十分に移動できないことから、次画面の白表示が黒ぎみの白表示となってしまい、他の画素との間で相対的に輝度差を生じ、視覚的に残像を生じさせてしまうという不都合が生じる。具体的には、上述した画素（１，２）との間で白レベルに差が生じてしまう。
【０００９】
データ線信号Ｘ２、走査線信号Ｙ２のそれぞれが供給される画素（２，２）の前画面が黒表示、次画面も黒表示、であるとし、その場合の電気泳動粒子の挙動を図１７に示す。前画面においては、図１７（Ａ）に示すように、共通電位ＶｃｏｍとしてはＶｓｓ、画素電極にはＶH（８Ｖ程度）の各電位が与えられ、黒表示（より正確には、白色ぎみの黒表示）がなされる。リセット期間においては、図１７（Ｂ）に示すように、共通電位ＶｃｏｍとしてはＶｄｄ、画素電極にはＶｓｓの各電位が与えられ、リセット動作としての白表示（より正確には、灰色ぎみの白表示）がなされる。次画面においては、図１７（Ｃ）に示すように、共通電位ＶｃｏｍとしてはＶｓｓ、画素電極にはＶｄｄの各電位が与えられ、黒表示がなされる。このとき、各電気泳動粒子は比較的に十分に移動できるので、次画面の黒表示は適切な輝度となるが、上述した画素（１，１）との間では黒レベルに差が生じてしまうという不都合が生じる。
【００１０】
このように、従来例の駆動方法では種々の不都合があり、電気泳動装置の画質を向上させることが難しかった。
【００１１】
【特許文献１】特開２００２−１１６７３３号公報
【特許文献２】特開２００３−１４０１９９号公報
【特許文献３】特開２００４−００４７１４号公報
【特許文献４】特開２００４−１０１７４６号公報
【発明の開示】
【発明が解決しようとする課題】
【００１２】
そこで、本発明は、電気泳動装置の画質を向上させることを可能とする技術を提供することを目的とする。
【課題を解決するための手段】
【００１３】
第１の態様の本発明は、電気泳動粒子を含有する分散系を共通電極と画素電極との間に介在させてなる電気泳動素子と、上記共通電極と上記画素電極との間に電圧を印加して上記電気泳動素子を駆動する駆動手段と、上記駆動手段を制御する制御手段と、を備える電気泳動装置の駆動方法であって、画像書き換えを行うために、上記制御手段により上記駆動手段を制御して上記共通電極と上記画素電極に電圧を与える画像書き換え期間は、リセット期間と、当該リセット期間の後に設けられる画像信号導入期間とを含み、上記リセット期間は、中間階調よりも高輝度の第１の階調に相当する電圧を上記共通電極と上記画素電極との間に与え、当該電圧によって上記電気泳動粒子を移動させる第１リセット期間と、中間階調よりも低輝度の第２の階調と上記第１の階調との間に含まれる第３の階調に相当する電圧を上記共通電極と上記画素電極との間に与え、当該電圧によって上記電気泳動粒子を移動させる第２リセット期間と、を含むことを特徴とする電気泳動装置の駆動方法である。
【００１４】
かかる駆動方法によれば、第１リセット期間における１回目のリセット動作の後に中間的な階調に相当する第２のリセット動作がなされることにより、電気泳動粒子が動きやすい状態にすることができるので、前画面と次画面の表示内容（階調）の如何によらず、各電気泳動粒子を適切な分布状態に制御することができる。従って、各画素の階調表現が適切となり、画質を向上させることが可能となる。
【００１５】
上述した第１リセット期間においては、最高輝度に相当する電圧を上記第１の階調に相当する電圧として印加し、第２リセット期間においては、中間階調よりも低く上記第２の階調よりも高い輝度に相当する電圧を上記第３の階調に相当する電圧として印加することが好ましい。
【００１６】
これにより、いわゆる白リセット等、全画素を高輝度な状態とする第１リセット動作の際の電気泳動粒子の移動方向と、第２リセット動作の際の電気泳動粒子の移動方向とが逆方向となり、第２リセット動作をより効果的に行うことが可能となる。
【００１７】
より具体的には、上記第１リセット期間における上記第１の階調に相当する電圧は、上記共通電極に高電源電位Ｖｄｄを与えるとともに上記画素電極に上記高電源電位Ｖｄｄよりも低い共通電位Ｖｃを与えることにより実現され、上記第２リセット期間における上記第３の階調に相当する電圧は、上記共通電極に上記共通電位Ｖｃを与えるとともに上記画素電極に上記共通電位Ｖｃより高く、且つ上記高電源電位Ｖｄｄよりも低いリセット電位ＶRHを与えることにより実現されることが好ましい。
【００１８】
高電源電位や共通電位を利用することにより、第１の階調に相当する電圧及び第３の階調に相当する電圧として適切な電圧を容易に生成し得る。
【００１９】
また、上記画像信号導入期間は、上記共通電極に所定の共通電位Ｖｃを与えるとともに、当該共通電位Ｖｃを基準として相対的に正の電位又は負の電位を上記画素電極に与えることによって画像書き込みを行うことが好ましい。より具体的には、上記共通電位Ｖｃを高電源電位Ｖｄｄよりも低く低電源電位Ｖｓｓよりも高い電位（すなわちＶｄｄ＜Ｖｃ＜Ｖｓｓの条件を満たす電位）とし、上記画素電極に与える電位をＶDH（ＶDH＞Ｖｃ）又はＶDL（ＶDL＜Ｖｃ）とするとよい。ＶDH及びＶDLは、例えばＶDH＝Ｖｄｄ、ＶDL＝Ｖｓｓとすることができる。
【００２０】
これにより、高輝度階調（例えば白表示）の場合又は低輝度階調の場合にも、画素電極と共通電極の間に電位差が残るので、電気泳動粒子の拡散を抑制し、階調を適切に維持することが可能となる。
【００２１】
上記共通電位Ｖｃは、高電源電位Ｖｄｄと低電源電位Ｖｓｓとの中間電位（Ｖｄｄ＋Ｖｓｓ）／２とすると好適である。
【００２２】
これにより、共通電位Ｖｃを容易に生成することができる。
【００２３】
また、電気泳動装置には、一方の電極が上記共通電極と接続され、他方の電極が上記画素電極と接続されてなる保持容量が更に備わっていることが好ましい。
【００２４】
これにより、共通電極の電位をより安定させることが可能となり、電気泳動素子に印加される電圧をより安定させることができる。
【００２５】
第２の態様の本発明は、電気泳動粒子を含有する分散系を共通電極と画素電極との間に介在させてなる電気泳動素子と、上記共通電極と上記画素電極との間に電圧を印加して上記電気泳動素子を駆動する駆動手段と、上記駆動手段を制御する制御手段と、を備える電気泳動装置の駆動方法であって、画像書き換えを行うために、上記制御手段により上記駆動手段を制御して上記共通電極と上記画素電極に電圧を与える画像書き換え期間は、リセット期間と、当該リセット期間の後に設けられる画像信号導入期間とを含み、上記リセット期間は、中間階調よりも低輝度の第１の階調に相当する電圧を上記共通電極と上記画素電極との間に与え、当該電圧によって上記電気泳動粒子を移動させる第１リセット期間と、中間階調よりも高輝度の第２の階調と上記第１の階調との間に含まれる第３の階調に相当する電圧を上記共通電極と上記画素電極との間に与え、当該電圧によって上記電気泳動粒子を移動させる第２リセット期間と、を含むことを特徴とする電気泳動装置の駆動方法である。
【００２６】
かかる駆動方法においても、第１リセット期間における１回目のリセット動作の後に中間的な階調に相当する第２のリセット動作がなされることにより、電気泳動粒子が動きやすい状態にすることができるので、前画面と次画面の表示内容（階調）の如何によらず、各電気泳動粒子を適切な分布状態に制御することができる。従って、各画素の階調表現が適切となり、画質を向上させることが可能となる。
【００２７】
上述した第１リセット期間においては、最低輝度に相当する電圧を上記第１の階調に相当する電圧として印加し、第２リセット期間においては、中間階調よりも高く上記第２の階調よりも低い輝度に相当する電圧を上記第３の階調に相当する電圧として印加することが好ましい。
【００２８】
これにより、いわゆる黒リセット等、全画素を低輝度な状態とする第１リセット動作の際の電気泳動粒子の移動方向と、第２リセット動作の際の電気泳動粒子の移動方向とが逆方向となり、第２リセット動作をより効果的に行うことが可能となる。
【００２９】
より具体的には、上記第１リセット期間における上記第１の階調に相当する電圧は、上記共通電極に低電源電位Ｖｓｓを与えるとともに上記画素電極に上記低電源電位Ｖｓｓよりも高い共通電位Ｖｃを与えることにより実現され、上記第２リセット期間における上記第３の階調に相当する電圧は、上記共通電極に上記共通電位Ｖｃを与えるとともに上記画素電極に上記共通電位Ｖｃより低く、且つ上記低電源電位Ｖｓｓよりも低いリセット電位ＶRLを与えることにより実現されることが好ましい。
【００３０】
低電源電位や共通電位を利用することにより、第１の階調に相当する電圧及び第３の階調に相当する電圧として適切な電圧を容易に生成し得る。
【００３１】
また、上記画像信号導入期間は、上記共通電極に所定の共通電位Ｖｃを与えるとともに、当該共通電位Ｖｃを基準として相対的に正の電位又は負の電位を上記画素電極に与えることによって画像書き込みを行うことが好ましい。より具体的には、上記共通電位Ｖｃを高電源電位Ｖｄｄよりも低く低電源電位Ｖｓｓよりも高い電位（すなわちＶｄｄ＜Ｖｃ＜Ｖｓｓの条件を満たす電位）とし、上記画素電極に与える電位をＶDH（ＶDH＞Ｖｃ）又はＶDL（ＶDL＜Ｖｃ）とするとよい。ＶDH及びＶDLは、例えばＶDH＝Ｖｄｄ、ＶDL＝Ｖｓｓとすることができる。
【００３２】
これにより、低輝度階調（例えば黒表示）の場合又は高輝度階調の場合にも、画素電極と共通電極の間に電位差が残るので、電気泳動粒子の拡散を抑制し、階調を適切に維持することが可能となる。
【００３３】
上記共通電位Ｖｃは、高電源電位Ｖｄｄと低電源電位Ｖｓｓとの中間電位（Ｖｄｄ＋Ｖｓｓ）／２とすると好適である。
【００３４】
これにより、共通電位Ｖｃを容易に生成することができる。
【００３５】
また、電気泳動装置には、一方の電極が上記共通電極と接続され、他方の電極が上記画素電極と接続されてなる保持容量が更に備わっていることが好ましい。
【００３６】
これにより、共通電極の電位をより安定させることが可能となり、電気泳動素子に印加される電圧をより安定させることができる。
【００３７】
第３の態様の本発明は、電気泳動粒子を含有する分散系を共通電極と画素電極との間に介在させてなる電気泳動素子と、上記共通電極と上記画素電極との間に電圧を印加して上記電気泳動素子を駆動する駆動手段と、上記駆動手段を制御する制御手段と、を備え、画像書き換えを行うために上記駆動手段が上記共通電極と上記画素電極に電圧を与える画像書き換え期間には、リセット期間と、当該リセット期間の後に設けられる画像信号導入期間とが含まれ、上記リセット期間は、中間階調よりも高輝度の第１の階調に相当する電圧を上記共通電極と上記画素電極との間に与え、当該電圧によって上記電気泳動粒子を移動させる第１リセット期間と、中間階調よりも低輝度の第２の階調と、上記第１の階調との間に含まれる第３の階調に相当する電圧を上記共通電極と上記画素電極との間に与え、当該電圧によって上記電気泳動粒子を移動させる第２リセット期間と、を含むことを特徴とする電気泳動装置である。
【００３８】
かかる構成によれば、各画素の階調表現が適切となり、画質を向上させることが可能となる。
【００３９】
上述した制御手段は、上記第１リセット期間において、最高輝度に相当する電圧を上記第１の階調に相当する電圧として印加し、上記第２リセット期間において、中間階調よりも低く上記第２の階調よりも高い輝度に相当する電圧を上記第３の階調に相当する電圧として印加することが好ましい。
【００４０】
これにより、いわゆる白リセット等、全画素を高輝度な状態とする第１リセット動作の際の電気泳動粒子の移動方向と、第２リセット動作の際の電気泳動粒子の移動方向とが逆方向となり、第２リセット動作をより効果的に行うことが可能となる。
【００４１】
より具体的には、上記制御手段は、上記第１リセット期間における上記第１の階調に相当する電圧を、上記共通電極に高電源電位Ｖｄｄを与えるとともに上記画素電極に上記高電源電位Ｖｄｄよりも低い共通電位Ｖｃを与えることにより実現し、上記第２リセット期間における上記第３の階調に相当する電圧を、上記共通電極に上記共通電位Ｖｃを与えるとともに上記画素電極に上記共通電位Ｖｃより高く、且つ上記高電源電位Ｖｄｄよりも低いリセット電位ＶRHを与えることにより実現することが好ましい。
【００４２】
高電源電位や共通電位を利用することにより、第１の階調に相当する電圧及び第３の階調に相当する電圧として適切な電圧を容易に生成し得る。
【００４３】
また、上記制御手段は、上記画像信号導入期間において、上記共通電極に所定の共通電位Ｖｃを与えるとともに、当該共通電位Ｖｃを基準として相対的に正の電位又は負の電位を上記画素電極に与えることによって画像書き込みを行うことが好ましい。より具体的には、制御手段は、上記共通電位Ｖｃを高電源電位Ｖｄｄよりも低く低電源電位Ｖｓｓよりも高い電位（すなわちＶｄｄ＜Ｖｃ＜Ｖｓｓの条件を満たす電位）とし、上記画素電極に与える電位をＶDH（ＶDH＞Ｖｃ）又はＶDL（ＶDL＜Ｖｃ）とするとよい。ＶDH及びＶDLは、例えばＶDH＝Ｖｄｄ、ＶDL＝Ｖｓｓとすることができる。
【００４４】
これにより、高輝度階調（例えば白表示）の場合又は低輝度階調の場合にも、画素電極と共通電極の間に電位差が残るので、電気泳動粒子の拡散を抑制し、階調を適切に維持することが可能となる。
【００４５】
上記共通電位Ｖｃは、高電源電位Ｖｄｄと低電源電位Ｖｓｓとの中間電位（Ｖｄｄ＋Ｖｓｓ）／２とすると好適である。
【００４６】
これにより、共通電位Ｖｃを容易に生成することができる。
【００４７】
また、電気泳動装置には、一方の電極が上記共通電極と接続され、他方の電極が上記画素電極と接続されてなる保持容量が更に備わっていることが好ましい。
【００４８】
これにより、共通電極の電位をより安定させることが可能となり、電気泳動素子に印加される電圧をより安定させることができる。
【００４９】
第４の態様の本発明は、電気泳動粒子を含有する分散系を共通電極と画素電極との間に介在させてなる電気泳動素子と、上記共通電極と上記画素電極との間に電圧を印加して上記電気泳動素子を駆動する駆動手段と、上記駆動手段を制御する制御手段と、を備え、画像書き換えを行うために上記駆動手段が上記共通電極と上記画素電極に電圧を与える画像書き換え期間には、リセット期間と、当該リセット期間の後に設けられる画像信号導入期間とが含まれ、上記リセット期間は、中間階調よりも低輝度の第１の階調に相当する電圧を上記共通電極と上記画素電極との間に与え、当該電圧によって上記電気泳動素子を移動させる第１リセット期間と、中間階調よりも高輝度の第２の階調と、上記第１の階調との間に含まれる第３の階調に相当する電圧を上記共通電極と上記画素電極との間に与え、当該電圧によって上記電気泳動素子を移動させる第２リセット期間と、を含むことを特徴とする電気泳動装置である。
【００５０】
かかる構成によっても、各画素の階調表現が適切となり、画質を向上させることが可能となる。
【００５１】
上述した制御手段は、上記第１リセット期間において、最低輝度に相当する電圧を上記第１の階調に相当する電圧として印加し、上記第２リセット期間において、中間階調よりも高く上記第２の階調よりも低い輝度に相当する電圧を上記第３の階調に相当する電圧として印加することが好ましい。
【００５２】
これにより、いわゆる黒リセット等、全画素を低輝度な状態とする第１リセット動作の際の電気泳動粒子の移動方向と、第２リセット動作の際の電気泳動粒子の移動方向とが逆方向となり、第２リセット動作をより効果的に行うことが可能となる。
【００５３】
より具体的には、上記制御手段は、上記第１リセット期間における上記第１の階調に相当する電圧を、上記共通電極に低電源電位Ｖｓｓを与えるとともに上記画素電極に上記低電源電位Ｖｓｓよりも高い共通電位Ｖｃを与えることにより実現し、上記第２リセット期間における上記第３の階調に相当する電圧を、上記共通電極に上記共通電位Ｖｃを与えるとともに上記画素電極に上記共通電位Ｖｃより低く、且つ上記低電源電位Ｖｓｓよりも低いリセット電位ＶRLを与えることにより実現することが好ましい。
【００５４】
低電源電位や共通電位を利用することにより、第１の階調に相当する電圧及び第３の階調に相当する電圧として適切な電圧を容易に生成し得る。
【００５５】
また、上記制御手段は、上記画像信号導入期間において、上記共通電極に所定の共通電位Ｖｃを与えるとともに、当該共通電位Ｖｃを基準として相対的に正の電位又は負の電位を上記画素電極に与えることによって画像書き込みを行うことが好ましい。より具体的には、制御手段は、上記共通電位Ｖｃを高電源電位Ｖｄｄよりも低く低電源電位Ｖｓｓよりも高い電位（すなわちＶｄｄ＜Ｖｃ＜Ｖｓｓの条件を満たす電位）とし、上記画素電極に与える電位をＶDH（ＶDH＞Ｖｃ）又はＶDL（ＶDL＜Ｖｃ）とするとよい。ＶDH及びＶDLは、例えばＶDH＝Ｖｄｄ、ＶDL＝Ｖｓｓとすることができる。
【００５６】
これにより、低輝度階調（例えば黒表示）の場合又は高輝度階調の場合にも、画素電極と共通電極の間に電位差が残るので、電気泳動粒子の拡散を抑制し、階調を適切に維持することが可能となる。
【００５７】
上記共通電位Ｖｃは、高電源電位Ｖｄｄと低電源電位Ｖｓｓとの中間電位（Ｖｄｄ＋Ｖｓｓ）／２とすると好適である。
【００５８】
これにより、共通電位Ｖｃを容易に生成することができる。
【００５９】
また、電気泳動装置には、一方の電極が上記共通電極と接続され、他方の電極が上記画素電極と接続されてなる保持容量が更に備わっていることが好ましい。
【００６０】
これにより、共通電極の電位をより安定させることが可能となり、電気泳動素子に印加される電圧をより安定させることができる。
【００６１】
第５の態様の本発明は、上述した電気泳動表示装置を用いて構成される電子機器である。ここで「電子機器」とは、一定の機能を奏する機器一般をいい、その構成に特に限定が無いが、例えば、電子ペーパ、電子ブック、ＩＣカード、ＰＤＡ、電子手帳等が含まれる。
【００６２】
これにより、表示部の画質に優れた電子機器が得られる。
【発明を実施するための最良の形態】
【００６３】
以下、本発明の実施の形態について図面を参照しながら説明する。
【００６４】
図１は、一実施形態の電気泳動表示装置の回路構成を概略的に説明するブロック図である。図１に示す本実施形態の電気泳動表示装置１は、コントローラ１１、表示部１２、走査線駆動回路１３、データ線駆動回路１４を含んで構成されている。
【００６５】
コントローラ１１は、走査線駆動回路１３及びデータ線駆動回路１４を制御するものであり、図示しない画像信号処理回路やタイミングジェネレータなどを含んで構成されている。このコントローラ１１は、表示部１２に表示させる画像を示す画像信号（画像データ）、画像書き換え時のリセットを行うためのリセットデータ、その他各種信号（クロック信号等）を生成し、走査線駆動回路１３又はデータ線駆動回路１４へ出力する。
【００６６】
表示部１２は、Ｘ方向に沿って平行に配列された複数本のデータ線と、Ｙ方向に沿って平行に配列された複数本の走査線と、これらのデータ線と走査線の各交点に配置される画素回路とを備えており、各画素回路に含まれる電気泳動素子によって画像表示を行うものである。
【００６７】
走査線駆動回路１３は、表示部１２の各走査線と接続されており、これらの走査線のいずれかを選択し、当該選択した走査線に所定の走査線信号Ｙ１、Ｙ２、…、Ｙｍを供給する。この走査線信号Ｙ１、Ｙ２、…、Ｙｍは、アクティブ期間（Ｈレベル期間）が順次シフトする信号となっており、各走査線に出力されることにより、各走査線に接続された画素回路が順次オン状態とされる。
【００６８】
データ線駆動回路１４は、表示部１２の各データ線と接続されており、走査線駆動回路１３によって選択された各画素回路に対してデータ信号Ｘ１、Ｘ２、…、Ｘｎを供給する。
【００６９】
なお、上述したコントローラ１１が本発明における「制御手段」に相当し、走査線駆動回路１３及びデータ線駆動回路１４が本発明における「駆動手段」に相当する。
【００７０】
図２は、各画素回路の構成を説明する回路図である。図２に示す画素回路は、スイッチング用のトランジスタ２１、電気泳動素子２２、保持容量２３を含んで構成されている。トランジスタ２１は、例えばＮチャネルトランジスタであって、そのゲートが走査線２４に接続され、ソースがデータ線２５に接続され、ドレインが電気泳動素子２２の画素電極に接続されている。電気泳動素子２２は、各画素ごとに設けられる画素電極と、各画素共通に用いられる共通電極２６との間に分散系を介在させて構成されている。保持容量２３は、電気泳動素子２２と並列に接続されている。より具体的には、保持容量２３は、一方の電極がトランジスタのソースに接続され、他方の電極が共通電極２６に接続されている。
【００７１】
図３は、電気泳動素子の構成例を説明する模式断面図である。図３に示すように本実施形態の電気泳動素子２２は、ガラス又は樹脂等からなる基板３１上に形成された画素電極３３と、ガラス又は樹脂等からなる基板３２上に形成された共通電極３４との間に、電気泳動素子３６、３７を含有する分散系３５を介在させて構成されている。本実施形態では、電気泳動素子３６は電気的にマイナスに帯電した白色の粒子（白粒子）であり、電気泳動素子３７は電気的にプラスに帯電した黒色の粒子（黒粒子）であるものとする。画素電極３３と共通電極３４の間に印加する電圧を制御することにより、これらの電気泳動粒子３６、３７の空間的配置を変化させ、各画素を白色から黒色まで階調変化させて画像表示がなされる。
【００７２】
本実施形態の電気泳動表示装置１はこのような構成を有しており、次に当該電気泳動表示装置１における各電気泳動素子の駆動方法について説明する。
【００７３】
図４は、本実施形態の電気泳動表示装置１における各電気泳動素子の駆動方法について説明する波形図である。本実施形態の電気泳動表示装置１においては、画像書き換えを行うために、コントローラ１１により走査線駆動回路１３及びデータ線駆動回路１４を制御し、各電気泳動素子２２の共通電極と画素電極に電圧を与える画像書き換え期間には、リセット期間と、当該リセット期間の後に設けられる画像信号導入期間とが含まれる。そして、図示のようにリセット期間には、中間階調よりも高輝度の第１の階調に相当する電圧を共通電極と画素電極との間に与え、当該電圧によって電気泳動粒子を移動させる第１リセット期間ｒ１と、中間階調よりも低輝度の第２の階調と第１の階調との間に含まれる第３の階調に相当する電圧を共通電極と画素電極との間に与え、当該電圧によって電気泳動粒子を移動させる第２リセット期間ｒ２が含まれる。
【００７４】
ここで、リセット期間は、電気泳動素子２２の応答時間τの０．５倍（０．５τ）から２倍（２τ）の範囲内に設定することが望ましい。一般に、リセット期間が０．５τよりも短いと電気泳動粒子の電気泳動が不十分となり、リセットが十分に効かない一方で、２τよりも長いと視覚的にちらつきを生じさせるからである。また、第２リセット期間ｒ２は、リセット期間全体の４０％〜６０％程度に設定することが望ましい。第２リセット期間がリセット期間全体の４０％よりも長いと画素の階調が白色から灰色へとなるように電気泳動粒子が動き始める一方、６０％よりも短いと第１リセット期間ｒ１において白色に画像消却が可能となるからである。
【００７５】
本実施形態では、第１リセット期間ｒ１においては第１の階調に相当する電圧として、最高輝度（すなわち、最も強い白色）に相当する電圧を印加することにより、全画素を最高階調にリセットする。また、第２リセット期間ｒ２においては第３の階調に相当する電圧として、中間階調よりも低く第２の階調よりも高い輝度に相当する電圧を印加することにより、全画素を中間階調にリセットする。より具体的には、第１リセット期間における第１の階調に相当する電圧は、共通電極に高電源電位Ｖｄｄ（例えば＋１０Ｖ）を与えるとともに画素電極にＶｄｄよりも低い共通電位Ｖｃ（例えば＋５Ｖ）を与えることにより実現される。このとき、画素電極からみた共通電極の電位はＶｄｄ−Ｖｃとなる。本実施形態ではＶｓｓ＜Ｖｃ＜Ｖｄｄと設定してあるので、Ｖｄｄ−Ｖｃは正電位となり、負に帯電した粒子（例えば白粒子）は共通電極に引き寄せられる。また、第２リセット期間における第３の階調に相当する電圧は、共通電極に共通電位Ｖｃ（例えば＋５Ｖ）を与えるとともに画素電極に共通電位Ｖｃより高く、且つ高電源電位Ｖｄｄよりも低いリセット電位ＶRH、すなわちＶｃ＜ＶRH＜Ｖｄｄの関係を満たす電位（例えば＋７．５Ｖ）を与えることにより実現される。このとき、画素電極からみた共通電極の電位はＶｃ−ＶRHとなり、Ｖｃ＜ＶRH＜ＶｄｄであるのでＶｃ−ＶRHは負電位となり、正に帯電した粒子（例えば黒粒子）が共通電極に引き寄せられる。
【００７６】
また、画像信号導入期間においては、共通電極に所定の共通電位Ｖｃを与えるとともに、当該共通電位Ｖｃを基準として相対的に正の電位ＶDH（ＶDH＞Ｖｃ）又は負の電位ＶDL（ＶDL＜Ｖｃ）を画素電極に与えることによって画像書き込みを行う。この共通電位Ｖｃは、高電源電位Ｖｄｄよりも低く低電源電位Ｖｓｓよりも高い電位（Ｖｓｓ＜Ｖｃ＜Ｖｄｄ）であればよい。共通電位Ｖｃは、例えば、高電源電位Ｖｄｄ（例えば＋１０Ｖ）と低電源電位Ｖｓｓ（例えば０Ｖ）との中間電位（Ｖｄｄ＋Ｖｓｓ）／２（＝＋５Ｖ）とすることにより、容易に生成することができる。
【００７７】
図５〜図８は、本実施形態の駆動方法によって駆動させる電気泳動素子の挙動を模式的に説明する図であり、図４に例示した駆動波形に対応した各電気泳動素子３６、３７の挙動が示されている。なお、以下では説明の便宜上、電気泳動素子３６（マイナスに帯電）を「白粒子」、電気泳動素子３７（プラスに帯電）を「黒粒子」と称する。
【００７８】
図５は、データ線信号Ｘ１、走査線信号Ｙ１のそれぞれが供給される画素（１，１）において、前画面が白表示であり、次画面を黒表示とする場合の電気泳動粒子の挙動を模式的に示している。前画面においては、図５（Ａ）に示すように、共通電位ＶｃｏｍとしてはＶｃ（＋５Ｖ）、画素電極にはＶDL（ほぼ０Ｖ）の各電位が与えられ、共通電極（上側電極）に白粒子、画素電極（下側電極）に黒粒子がそれぞれ引き寄せられ、画素（１，１）はほぼ最高輝度の階調、すなわち白表示となる。第１のリセット期間ｒ１においては、図５（Ｂ）に示すように、共通電位ＶｃｏｍとしてはＶｄｄ（＋１０Ｖ）、画素電極にはＶｃ（＋５Ｖ）の各電位が与えられる。このとき、白粒子及び黒粒子の分布にはほとんど変化がなく、リセット動作としての白表示がなされる。第２のリセット期間ｒ２においては、図５（Ｃ）に示すように、共通電位ＶｃｏｍとしてはＶｃ（＋５Ｖ）、画素電極にはリセット電位ＶRH（＋７．５Ｖ）の各電位が与えられる。このとき、白粒子は画素電極、黒粒子は共通電極にそれぞれ引き寄せられるが、電圧がそれほど高くないため図示のように両粒子が適度に混合した分布状態となり、リセット動作としての中間階調表示がなされる。その後、次画面においては、図５（Ｄ）に示すように、共通電位ＶｃｏｍとしてＶｃ（＋５Ｖ）、画素電極にはＶDH（本例ではＶｄｄ）の各電位が与えられ、白粒子は画素電極、黒粒子は共通電極にそれぞれ引き寄せられ、画素（１，１）はほぼ最低輝度の階調、すなわち黒表示となる。事前に中間階調表示によるリセット動作がなされることで、各電気泳動粒子が動きやすい状態となるため、前画面の表示内容によらず適切な階調での黒表示が実現される。
【００７９】
図６は、データ線信号Ｘ１、走査線信号Ｙ２のそれぞれが供給される画素（１，２）において、前画面が白表示であり、次画面も白表示とする場合の電気泳動粒子の挙動を模式的に示している。前画面においては、図６（Ａ）に示すように、共通電位ＶｃｏｍとしてはＶｃ（＋５Ｖ）、画素電極にはＶDL（ほぼ０Ｖ）の各電位が与えられ、共通電極（上側電極）に白粒子、画素電極（下側電極）に黒粒子がそれぞれ引き寄せられ、画素（１，２）はほぼ最高輝度の階調、すなわち白表示となる。第１のリセット期間ｒ１においては、図６（Ｂ）に示すように、共通電位ＶｃｏｍとしてはＶｄｄ（＋１０Ｖ）、画素電極にはＶｃ（＋５Ｖ）の各電位が与えられる。このとき、白粒子及び黒粒子の分布にはほとんど変化がなく、リセット動作としての白表示がなされる。第２のリセット期間ｒ２においては、図６（Ｃ）に示すように、共通電位ＶｃｏｍとしてはＶｃ（＋５Ｖ）、画素電極にはリセット電位ＶRH（＋７．５Ｖ）の各電位が与えられる。このとき、白粒子は画素電極、黒粒子は共通電極にそれぞれ引き寄せられるが、電圧がそれほど高くないため図示のように両粒子が適度に混合した分布状態となり、リセット動作としての中間階調表示がなされる。その後、次画面においては、図６（Ｄ）に示すように、共通電位ＶｃｏｍとしてＶｃ（＋５Ｖ）、画素電極にはＶDL（本例ではＶｓｓ）の各電位が与えられ、白粒子は共通電極、黒粒子は画素電極にそれぞれ引き寄せられ、画素（１，２）はほぼ最高輝度の階調、すなわち白表示となる。事前に中間階調表示によるリセット動作がなされることで、各電気泳動粒子が動きやすい状態となるため、前画面の表示内容によらず適切な階調での白表示が実現される。
【００８０】
図７は、データ線信号Ｘ２、走査線信号Ｙ１のそれぞれが供給される画素（２，１）において、前画面が黒表示であり、次画面を白表示とする場合の電気泳動粒子の挙動を模式的に示している。前画面においては、図７（Ａ）に示すように、共通電位ＶｃｏｍとしてはＶｃ（＋５Ｖ）、画素電極にはＶDH'（本例ではＶｄｄだが、リークの影響により＋９Ｖ程度に低下）の各電位が与えられ、共通電極（上側電極）に黒粒子、画素電極（下側電極）に白粒子がそれぞれ引き寄せられ、画素（２，１）はほぼ最低輝度の階調、すなわち黒表示となる。第１のリセット期間ｒ１においては、図７（Ｂ）に示すように、共通電位ＶｃｏｍとしてはＶｄｄ（＋１０Ｖ）、画素電極にはＶｃ（＋５Ｖ）の各電位が与えられる。このとき、白粒子は共通電極、黒粒子は画素電極にそれぞれ引き寄せられ、リセット動作としての白表示がなされる。ただし本例では、各電気泳動粒子が十分に移動しきらないため、最高輝度の階調とはならない。第２のリセット期間ｒ２においては、図７（Ｃ）に示すように、共通電位ＶｃｏｍとしてはＶｃ（＋５Ｖ）、画素電極にはリセット電位ＶRH（＋７．５Ｖ）の各電位が与えられる。このとき、白粒子は画素電極、黒粒子は共通電極にそれぞれ引き寄せられるが、電圧がそれほど高くないため図示のように両粒子が適度に混合した分布状態となり、リセット動作としての中間階調表示がなされる。その後、次画面においては、図７（Ｄ）に示すように、共通電位ＶｃｏｍとしてＶｃ（＋５Ｖ）、画素電極にはＶDL（本例ではＶｓｓ＝０Ｖ）の各電位が与えられ、白粒子は共通電極、黒粒子は画素電極にそれぞれ引き寄せられ、画素（２，１）はほぼ最高輝度の階調、すなわち白表示となる。事前に中間階調表示によるリセット動作がなされることで、各電気泳動粒子が動きやすい状態となるため、前画面の表示内容によらず適切な階調での白表示が実現される。
【００８１】
図８は、データ線信号Ｘ２、走査線信号Ｙ２のそれぞれが供給される画素（２，２）において、前画面が黒表示であり、次画面も黒表示とする場合の電気泳動粒子の挙動を模式的に示している。前画面においては、図８（Ａ）に示すように、共通電位ＶｃｏｍとしてはＶｃ（＋５Ｖ）、画素電極にはＶDH'（本例ではＶｄｄだが、リークの影響により＋９Ｖ程度に低下）の各電位が与えられ、共通電極（上側電極）に黒粒子、画素電極（下側電極）に白粒子がそれぞれ引き寄せられ、画素（２，２）はほぼ最低輝度の階調、すなわち黒表示となる。第１のリセット期間ｒ１においては、図８（Ｂ）に示すように、共通電位ＶｃｏｍとしてはＶｄｄ（＋１０Ｖ）、画素電極にはＶｃ（＋５Ｖ）の各電位が与えられる。このとき、白粒子は共通電極、黒粒子は画素電極にそれぞれ引き寄せられ、リセット動作としての白表示がなされる。ただし本例では、各電気泳動粒子が十分に移動しきらないため、最高輝度の階調とはならない。第２のリセット期間ｒ２においては、図８（Ｃ）に示すように、共通電位ＶｃｏｍとしてはＶｃ（＋５Ｖ）、画素電極にはリセット電位ＶRH（＋７．５Ｖ）の各電位が与えられる。このとき、白粒子は画素電極、黒粒子は共通電極にそれぞれ引き寄せられるが、電圧がそれほど高くないため図示のように両粒子が適度に混合した分布状態となり、リセット動作としての中間階調表示がなされる。その後、次画面においては、図８（Ｄ）に示すように、共通電位ＶｃｏｍとしてＶｃ（＋５Ｖ）、画素電極にはＶDH（本例ではＶｄｄ＝＋１０Ｖ）の各電位が与えられ、白粒子は共通電極、黒粒子は画素電極にそれぞれ引き寄せられ、画素（２，１）はほぼ最低輝度の階調、すなわち黒表示となる。事前に中間階調表示によるリセット動作がなされることで、各電気泳動粒子が動きやすい状態となるため、前画面の表示内容によらず適切な階調での黒表示が実現される。
【００８２】
このように本実施形態によれば、第１リセット期間における１回目のリセット動作の後に中間的な階調に相当する第２のリセット動作がなされることにより、電気泳動粒子が動きやすい状態にすることができるので、前画面と次画面の表示内容（階調）の如何によらず、各電気泳動粒子を適切な分布状態に制御することができる。従って、各画素の階調表現が適切となり、画質を向上させることが可能となる。
【００８３】
次に、本実施形態にかかる電気泳動表示装置を備える電子機器の例について説明する。
【００８４】
図９は、電気泳動表示装置を備える電子機器の例について説明する斜視図であり、電子機器の一例として、いわゆる電子ペーパが例示されている。図９（Ａ）に示すように、本実施形態の電子ペーパ１００は、上述した電気泳動表示装置１を表示部１０１として備えている。また、図９（Ｂ）は、電子ペーパ１００を２つ折りに構成した場合の例であり、電気泳動表示装置１を表示部１０１ａ及び１０１ｂとして備えている。なお、例示の電子ペーパの他にも、表示部を備える各種の電子機器（例えば、ＩＣカード、ＰＤＡ、電子手帳等）について電気泳動表示装置１を適用し得る。
【００８５】
なお、本発明は上述した実施形態の内容に限定されるものではなく、本発明の要旨の範囲内において種々の変形実施が可能である。
【００８６】
例えば、上述した実施形態では第１リセット期間においていわゆる白リセットを行う場合の実施形態を例示していたが、第１リセット期間において全画素を黒表示にする場合（いわゆる黒リセット）においても本発明を適用することが可能である。
【００８７】
図１０は、第１リセット期間において黒リセットを行う場合における各電気泳動素子の駆動方法について説明する波形図である。なお、上述した実施形態の場合と重複する説明については省略する。図１０に示す駆動方法では、第１リセット期間ｒ１において、中間階調よりも低輝度の第１の階調に相当する電圧を共通電極と画素電極との間に与え、当該電圧によって電気泳動粒子を移動させる。また、第２リセット期間ｒ２において、中間階調よりも高輝度の第２の階調と第１の階調との間に含まれる第３の階調に相当する電圧を共通電極と画素電極との間に与え、当該電圧によって電気泳動粒子を移動させる。
【００８８】
図１０に示す例では、第１リセット期間ｒ１においては第１の階調に相当する電圧として、最低輝度（すなわち、最も強い黒色）に相当する電圧を印加することにより、全画素を最低階調にリセットする。また、第２リセット期間ｒ２においては第３の階調に相当する電圧として、中間階調よりも高く第２の階調よりも低い輝度に相当する電圧を印加することにより、全画素を中間階調にリセットする。より具体的には、第１リセット期間における第１の階調に相当する電圧は、共通電極に低電源電位Ｖｓｓ（例えば０Ｖ）を与えるとともに画素電極にＶｓｓよりも高い共通電位Ｖｃ（例えば＋５Ｖ）を与えることにより実現される。このとき、画素電極からみた共通電極の電位はＶｓｓ−Ｖｃとなる。本実施形態ではＶｓｓ＜Ｖｃ＜Ｖｄｄと設定してあるので、Ｖｄｄ−Ｖｃは負電位となり、正に帯電した粒子（例えば黒粒子）は共通電極に引き寄せられる。また、第２リセット期間における第３の階調に相当する電圧は、共通電極に共通電位Ｖｃ（例えば＋５Ｖ）を与えるとともに画素電極に共通電位Ｖｃより低く、且つ低電源電位Ｖｓｓよりも高いリセット電位ＶRL、すなわちＶｓｓ＜ＶRL＜Ｖｃの関係を満たす電位（例えば＋２．５Ｖ）を与えることにより実現される。このとき、画素電極からみた共通電極の電位はＶｃ−ＶRLとなり、Ｖｓｓ＜ＶRL＜ＶｃであるのでＶｃ−ＶRLは正電位となり、負に帯電した粒子（例えば黒粒子）が共通電極に引き寄せられる。
【００８９】
また、画像信号導入期間においては、共通電極に所定の共通電位Ｖｃを与えるとともに、当該共通電位Ｖｃを基準として相対的に正の電位ＶDH（ＶDH＞Ｖｃ）又は負の電位ＶDL（ＶDL＜Ｖｃ）を画素電極に与えることによって画像書き込みを行う。この共通電位Ｖｃは、例えば、高電源電位Ｖｄｄ（例えば＋１０Ｖ）と低電源電位Ｖｓｓ（例えば０Ｖ）との中間電位（Ｖｄｄ＋Ｖｓｓ）／２（＝＋５Ｖ）とすることにより、容易に生成することができる。
【００９０】
なお、図１０に示す駆動方法によって駆動される電気泳動粒子の挙動は概ね上述した図５〜図８の場合と共通するものであるためここでは説明を省略する。本例の駆動方法によっても上記実施形態の場合と同様に、第１リセット期間における黒リセットの後、中間的な階調に相当する第２のリセット動作がなされることにより、電気泳動粒子が動きやすい状態にすることができるので、前画面と次画面の表示内容（階調）の如何によらず、各電気泳動粒子を適切な分布状態に制御することができる。従って、各画素の階調表現が適切となり、画質を向上させることが可能となる。
【００９１】
また、上述した実施形態では、電気泳動素子として上下方向に離間して画素電極と共通電極を配置した構造のものを例示していたが、画素電極と共通電極とが左右方向に離間して配置される構造（いわゆるインプレーン型）の電気泳動素子を採用することも可能である。
【００９２】
図１１は、インプレーン型の電気泳動素子の構成例を説明する図である。図１１（Ａ）に示す電気泳動素子２２ａは、基板４１と基板４３の間に各電気泳動粒子４６、４７を含む分散系４５を介在させており、一方の基板４３側にそれぞれ設けられた画素電極４２と共通電極４４の間に電圧を印加することにより、各電気泳動粒子４６、４７を移動させて表示を行う。また、図１１（Ｂ）に示す電気泳動素子２２ｂは、基本的には図１１（Ａ）に示す電気泳動素子２２ａと同様な構成を有しており、画素電極４２と共通電極４４とを同一平面上ではなくオーバーラップさせるように配置した点が異なっている。これらのような構造の電気泳動素子を採用した電気泳動表示装置に対しても本発明を適用することが可能である。
【００９３】
また、上述した実施形態では、正負のそれぞれに帯電した２種類の電気泳動粒子を含む分散系（２粒子系）を採用した場合を例に挙げて説明していたが、正負いずれかに帯電した１種類の電気泳動粒子を含む１粒子系の場合であっても同様にして本発明を適用することが可能である。
【００９４】
また、上述した実施形態では、白粒子及び黒粒子を含んでなる分散系を例示していたが、各電気泳動粒子が有する色はこれに限定されず、任意に選択することができる。
【図面の簡単な説明】
【００９５】
【図１】一実施形態の電気泳動表示装置の回路構成を概略的に説明するブロック図である。
【図２】各画素回路の構成を説明する回路図である。
【図３】電気泳動素子の構成例を説明する模式断面図である。
【図４】各電気泳動素子の駆動方法について説明する波形図である。
【図５】電気泳動素子の挙動を模式的に説明する図である。
【図６】電気泳動素子の挙動を模式的に説明する図である。
【図７】電気泳動素子の挙動を模式的に説明する図である。
【図８】電気泳動素子の挙動を模式的に説明する図である。
【図９】電気泳動表示装置を備える電子機器の例について説明する斜視図である。
【図１０】第１リセット期間において黒リセットを行う場合における各電気泳動素子の駆動方法について説明する波形図である。
【図１１】インプレーン型の電気泳動素子の構成例を説明する図である。
【図１２】アクティブマトリクス型の電気泳動装置の回路構成例を説明する図である。
【図１３】図１２に示すような構成の電気泳動装置の駆動方法についての従来例を説明する波形図である。
【図１４】図１３に示す従来例の駆動方法によって駆動された場合における電気泳動粒子の挙動（空間分布）を模式的に説明する図である。
【図１５】図１３に示す従来例の駆動方法によって駆動された場合における電気泳動粒子の挙動（空間分布）を模式的に説明する図である。
【図１６】図１３に示す従来例の駆動方法によって駆動された場合における電気泳動粒子の挙動（空間分布）を模式的に説明する図である。
【図１７】図１３に示す従来例の駆動方法によって駆動された場合における電気泳動粒子の挙動（空間分布）を模式的に説明する図である。
【符号の説明】
【００９６】
１…電気泳動表示装置、１１…コントローラ、１２…表示部、１３…走査線駆動回路、１４…データ線駆動回路、２１…トランジスタ、２２…電気泳動素子、２３…保持容量、３３…画素電極、３４…共通電極、３５…分散系、３６、３７…電気泳動粒子、１００…電子ペーパ
【図１】
2006189466.tif 000003
【図２】
2006189466.tif 000004
【図３】
2006189466.tif 000005
【図４】
2006189466.tif 000006
【図５】
2006189466.tif 000007
【図６】
2006189466.tif 000008
【図７】
2006189466.tif 000009
【図８】
2006189466.tif 000010
【図９】
2006189466.tif 000011
【図１０】
2006189466.tif 000012
【図１１】
2006189466.tif 000013
【図１２】
2006189466.tif 000014
【図１３】
2006189466.tif 000015
【図１４】
2006189466.tif 000016
【図１５】
2006189466.tif 000017
【図１６】
2006189466.tif 000018
【図１７】
2006189466.tif 000019